(57)【要約】      （修正有）【課題】異なる運動方法をセレクトして使用できる多機能リズムボードの構造を提供する。【解決手段】長方形踏み板２及び一側面底部に支持ポイント３９、４９を有する二つの足３、４で構成する多機能リズムボードの構造であり、踏み板の長い方向の両端底面に、それぞれ第一定位部２１及び第四定位部２４を具有する。一つの足の頂端にある第一接続部及び、別の足の頂端にある第二接続部が、それぞれ第一定位部及び第四定位部に接続すれば、踏み板の両端にて上向きの支持を形成し、アエロビックステッパーの機能が生まれる。二つの足がそれぞれ同一平面で１８０度回転し、第一接続部及び第二接続部がそれぞれ第一定位部と第四定位部の間にある第二定位部２２及び第三定位部２３と接続すれば、踏み板の中間位置に一つの支持ポイントを形成し、バランスボードの機能が生まれる。【選択図】図１
0003206886.tif 000002
【実用新案登録請求の範囲】
【請求項１】
一つの長方形の踏み板、一つの第一足及び一つの第二足を含み、
該長方形踏み板の長い方向の両端の底面にそれぞれ一つの第一定位部及び一つの第四定位部を具有し、該第一定位部及び該第四定位部の間に一つの第二定位部及び一つの第三定位部を具有し、
該第一足の一つの側面の底部に一つの第一支持ポイントを具有し、且つ該第一足の頂端に一つの第一接続部を設け、上向きに該第一定位部を接続し、或いは該第一足が同じ平面で１８０度回転した後、上向きに該第二定位部と接続し、及び、
該第二足の一つの側面の底部に一つの第二支持ポイントを具有し、且つ該第二足の頂端に一つの第二接続部を設け、上向きに該第二定位部を接続することで、該第一支持ポイント及び該第二支持ポイントはそれぞれ該長方形踏み板の長い方向の両端の底面に位置し、上向きに該長方形踏み板を支持し、或いは、該第二足が同じ平面で１８０度回転した後、上向きに該第三定位部と接続することで、該第一支持ポイント及び該第二支持ポイントが相隣し、且つ該長方形踏み板の長い方向の中間位置の底面に位置することを特徴とする多機能リズムボードの構造。
【請求項２】
前記該第一定位部は複数個の定位槽であり、該第二定位部は該第一定位部より高さがやや低い複数個の定位槽であり、該第一接続部は該第一定位部或いは該第二定位部の複数個の定位槽の中に対応して挿着定位する複数個の定位柱であることを特徴とする請求項１記載の多機能リズムボードの構造。
【請求項３】
前記該第三定位部は複数個の定位槽であり、該第四定位部は該第三定位部より高さがやや低い複数個の定位槽であり、該第二接続部は該第三定位部或いは該第四定位部の複数個の定位槽の中に対応して挿着定位する複数個の定位柱であることを特徴とする請求項１記載の多機能リズムボードの構造。
【請求項４】
該第一足の一つの側面に一つの第一掛合部を具有し、該第二足の一つの側面に該第一掛合部に対応して掛合する一つの第二掛合部を具有することを特徴とする請求項１記載の多機能リズムボードの構造。
【請求項５】
該第一足の一つの側面は直立平面であり、該第一掛合部は第一スロット及び第一ブロックを含み、該第二足の一つの側面は直立平面であり、該第二掛合部は第二スロット及び第二ブロックを含み、第一足の一つの側面が第二足の一つの側面に近づける場合、該第二スロットは該第一ブロックに対応して掛合し、該第二ブロックは該第一スロットに対応して掛合することを特徴とする請求項４記載の多機能リズムボードの構造。
【請求項６】
更に一つの第一弾性ロープ及び一つの第二弾性ロープを含み、該長方形踏み板の長い方向の両端にそれぞれ一つの第一棒及び一つの第二棒を設け、それぞれ該第一弾性ロープの一端及び該第二弾性ロープの一端と接続することを特徴とする請求項１、請求項４或いは請求項５記載の多機能リズムボードの構造。
【請求項７】
更に一つの第一棒及び一つの第二棒を含み、該第一棒及び該第二棒はそれぞれ二つの第一定位部品及び二つの第二定位部品を可動的に該長方形踏み板の長い方向の両端のダンベルに定位することを特徴とする請求項１、請求項４或いは請求項５記載の多機能リズムボードの構造。
【請求項８】
長方形の踏み板の長い方向の一端に一つのフラットボードを具有し、該フラットボードの上に少なくとも一つの第一導引部を具有し、該フラットボードの上方に一つの溝を形成し、該第一定位部品は溝の中に定位し、第一定位部品の片側に一つの定位槽を形成し、第一棒の一端と定位し、該第一定位部品は少なくとも該第一導引部と対応する第二導引部を具有し、該第一定位部品が該長方形踏み板に相対して水平移動させ、該第一定位部品の底端に一つの抵触部を具有し、該第一定位部品を該長方形踏み板のフラットボードに抵触定位することを特徴とする請求項７記載の多機能リズムボードの構造。
【考案の詳細な説明】
【技術分野】
【０００１】
本考案は一種の多機能リズムボードの構造に関し、特にユーザーが異なる運動方法をセレクトして使用できる一種の多機能リズムボードの構造に関する。
【背景技術】
【０００２】
従来のアエロビックステッパー(Aerobic Stepper)は、主に一つの長方形の踏み板及び二つのそれぞれ踏み板の長い方向の両端の下方に固定する足によって構成する。該踏み板は二つの足の高さ及び上向きに支えることで、階段の如くに形成し、ユーザーが有酸素運動を行う際、片足で前、後ろ、左、右、上向き或いは下向きの踏む動きをすることで、脚部、腰部の運動効果に達する。
【０００３】
従来のバランスボード(Balance Board)は一つの円盤状の踏み板を設置し、踏み板の中央下方に一つの下に突出するアーチ本体を設ける。該アーチ本体が下向きに地面を押す場合、突出したアーチ本体の設置及びユーザーの重心がアンバランスのため、異なる方向に揺れる効果が生じ、それによりユーザーはバランス感覚を養うことになり、フィットネスの効果にも達する。
【０００４】
実際に使用する場合、上述の二種類の運動器具は、それぞれのトレーニング機能のみであり、互いに代替することはできないため、上述の二種類の運動器具でトレーニングするニーズがある場合は、それぞれ購入しなければならず、ユーザーの経済的負担になる上、保管するスペースも必要になることを鑑みて、更なる改善が必要であった。
【先行技術文献】
【特許文献】
【０００５】
【特許文献１】特開平９−２９９５０７号公報
【考案の概要】
【考案が解決しようとする課題】
【０００６】
前記公知構造の欠点を解決するため、本考案はユーザーが踏み板と二つの足をしっかりと接続する、或いは分離するなどを選択することができ、それによって異なる運動パターンを形成し、異なるフィットネスの効果に達し、異なる運動器具を購入する費用を節約し、保存スペースも節約できる多機能リズムボードの構造を提供することを主な課題とする。
【課題を解決するための手段】
【０００７】
上述の目的を解決するために、本考案は多機能リズムボードの構造を提供するものである。一つの長方形の踏み板、一つの第一足及び一つの第二足を含む。該長方形踏み板の長い方向の両端の底面にそれぞれ第一定位部及び第四定位部を具有し、第一定位部及び第四定位部の間に第二定位部及び第三定位部を具有する。該第一足の一つの側面の底部に一つの第一支持ポイントを具有し、且つ該第一足の頂端に第一接続部を設け、上向きに該第一定位部を接続する。或いは該第一足が同じ平面で１８０度回転した後、上向きに該第二定位部と接続する。該第二足の一つの側面の底部に一つの第二支持ポイントを具有し、且つ該第二足の頂端に第二接続部を設け、上向きに第二定位部を接続することで、該第一支持ポイント及び該第二支持ポイントはそれぞれ該長方形踏み板の長い方向の両端の底面に位置し、上向きに該長方形踏み板を支持し、或いは、該第二足が同じ平面で１８０度回転した後、上向きに該第三定位部と接続することで、該第一支持ポイント及び該第二支持ポイントが相隣し、且つ該長方形踏み板の長い方向の中間位置の底面に位置する。
【０００８】
実施する際、該第一定位部は複数個の定位槽であり、該第二定位部は該第一定位部より高さが低い複数個の定位槽であり、該第一接続部は該第一定位部或いは該第二定位部の複数個の定位槽の中に対応して挿着定位する複数個の定位柱である。
【０００９】
実施する際、該第三定位部は複数個の定位槽であり、該第四定位部は該第三定位部より高さが低い複数個の定位槽であり、該第二接続部は該第三定位部或いは該第四定位部の複数個の定位槽の中に対応して挿着定位する複数個の定位柱である。
【考案の効果】
【００１０】
本考案の構造により、ユーザーは二種類の異なる運動方法を選択して使用することができる。よって、それぞれ異なるフィットネス効果に達するだけでなく、異なるフィットネス器材を購入する費用を節約し、且つ保存スペースを有効的に節約することができる。
【図面の簡単な説明】
【００１１】
【図１】本考案の第一実施例の部品分解図である。
【図２】本考案の第一実施例の使用状態図である。
【図３】本考案の第一足及び第二足の組立前の部品分解図である。
【図４】本考案の第一実施例の別の一つの使用状態図である。
【図５】互いに接続する第一足及び第二足を反転した後の立体外観略図である。
【図６】本考案の第二実施例の立体外観略図である。
【図７】本考案の第三実施例の部品分解図である。
【図８】本考案の第三実施例の使用状態図である。
【図９】本考案の第三実施例の使用状態図である。
【図１０】本考案の各実施例の使用状態図である。
【図１１】本考案の各実施例の使用状態図である。
【図１２】本考案の各実施例の使用状態図である。
【図１３】本考案の各実施例の使用状態図である。
【考案を実施するための形態】
【００１２】
以下、本考案の構造と特徴および効果を、最良実施例と図面を参照しながら詳細に説明する。
【実施例１】
【００１３】
図１〜図４に示すのは本考案の多機能リズムボード１の第一実施例であり、それに含まれるのは一つの長方形の踏み板２、一つの第一足３及び一つの第二足４である。
【００１４】
長方形の踏み板２に相対する二つのアーチ型サイド及び長方形踏み板２の長い方向の両端に相対する二つの直線サイドを具有する。長方形踏み板２の長い方向の両端の底面にそれぞれ第一定位部２１及び第四定位部２４を具有する。第一定位部２１及び第四定位部２４の間に第二定位部２２及び第三定位部２３を具有する。第一定位部２１及び第四定位部２４はそれぞれ四つの円形パイプ状定位槽２５、２６であり、第二定位部２２は第一定位部２１よりやや高さが低い四つの円形パイプ状定位槽２７である。第三定位部２３は第四定位部２４よりやや高さが低い四つの円形パイプ状定位槽２８である。
【００１５】
第一足３及び第二足４の外形は互いに対称し、それぞれの断面はほぼ三角形を呈す三角ブロックである。同様に一つの水平頂端３１、４１、一つの直立平面状の側面３２、４２及び一つのアーチ型接続面３３、４３を具有する。
【００１６】
第一足３の頂端に四つの定位柱３４を設け、それは第一定位部２１或いは第二定位部２２の四つの丸いパイプ型定位槽２５、２６の中に対応して挿着し、該四つの定位柱３４を第一接続部３５とする。第一足３の側面３２の頂部と同じ平面に第一スロット３６及び第一ブロック３７を具有し、第一スロット３６及び第一ブロック３７は合わせて第一掛合部３８になる。第一足３の側面３２の底部とアーチ型接続面３３の交わる部分に一つの第一支持ポイント３９を形成する。
【００１７】
第二足４の頂端に四つの定位柱４４を設け、それは第三定位部２３或いは第四定位部２４の四つの定位槽２７、２８の中に対応して挿着し、該四つの定位柱４４を第二接続部４５とする。第二足４の側面４２の頂部と同じ平面に第二スロット４６及び第二ブロック４７を具有し、第二スロット４６及び第二ブロック４７は合わせて第二掛合部４８になる。第二足４の側面４２の底部とアーチ型接続面４３の交わる部分に一つの第二支持ポイント４９を形成する。実施する際、第一定位部２１、第二定位部２２、第三定位部２３及び第四定位部２４はそれぞれ四つ或いはその他の数の定位柱に分けることができ、第一接続部３５及び第二接続部４５はそれぞれ四つ或いはその他の数の定位槽にすることができる。
【００１８】
よって、第一足３の第一接続部３５が上向きに第一定位部２１と接続し、第二足４の第二接続部４５が上向きに第四定位部２４と接続する時、第一支持ポイント３９及び第二支持ポイント４９はそれぞれ長方形踏み板２の長い方向の両端の底面に位置し、上向きに長方形踏み板２を支持し、アエロビックステッパーの構造を構成する。第一足３及び第二足４はそれぞれ同じ平面で１８０度回転し、第一足３の第一接続部３５は上向きに第二定位部２２と接続し、第二足４の第二接続部４５は上向きに第三定位部２３と接続する。第二スロット４６が該第一ブロック３７と対応して掛合し、第二ブロック４７が第一スロット３６と対応して掛合する際、第一足３の一つの側面３２及び第二足４の一つの側面４２を近づけることができる。且つ長方形の踏み板２の長い方向の中央位置にある底面は、長方形踏み板２の長い方向の中央位置に一つの共同支持ポイントを形成することで、バランスボードの構造を構成する。実施する際、互いに接続する第一足３及び第二足４は図５に示すように、反転してから単独で使用することができる。
【実施例２】
【００１９】
図６に示すのは、本考案の多機能リズムボード１の第二実施例である。第一実施例と異なる部分は：長方形の踏み板２の長い方向の両端にそれぞれ一つの第一棒５及び一つの第二棒６を設け、第一棒５は一つの第一弾性ロープ５１の一端と接続し、第二棒６は一つの第二弾性ロープ６１の一端と接続することで、ユーザーがチューブトレーニングを行う。
【実施例３】
【００２０】
図７〜図９に示すのは、本考案の多機能リズムボード１の第三実施例である。第一、第二実施例と異なるのは：長方形の踏み板２の長い方向の両端にそれぞれ二つの第一定位部品７及び二つの第二定位部品８を用いて第一棒５及び第二棒６を可動的に定位し、第一棒５及び第二棒６はそれぞれ一つのダンベルである。二つの第一定位部品７のサイズが同じ、外形が対称で、二つの第二定位部品８のサイズが同じ、外形が対称である。
【００２１】
下記は、一つの第一定位部品７と長方形の踏み板２の組合せを例として、二つの第一部品７、二つの第二定位部品８及び長方形の踏み板２の組合せ状況を説明する。その中、長方形の踏み板２の長い方向の一端に一つのフラットボード９を具有し、該フラットボード９の上に二つの長方形溝の第一導引部９１を具有し、フラットボード９の上方に一つの溝９２を形成し、第一定位部品７は溝９２の中に定位する。
【００２２】
第一定位部品７の片側に半円形の定位槽７１を形成し、第一棒５の一端と定位する。第一定位部品７の底部に下向きに突出し、且つそれぞれ第一導引部９１に対応する二つの凸柱を具有する。該凸柱を第二導引部９３とし、第一導引部９１及び第二導引部９３の底端は一つの長方形板９４で固定してから、長方形板９４と第一定位部品７の底部を緩めて螺合する状態であるために、第一定位部品７は長方形の踏み板２に相対して水平に移動することができ、それによって第一棒５の一端を解放する。第一定位部品７の底端に上下に変位できる一つの弾性抵触部９５を具有し、それをフラットボード９の上表面に抵触することで、第一定位部品７を長方形の踏み板２のフラットボード９の上に定位することができる。
【００２３】
よって、本考案は下記のメリットを具有する：
【００２４】
１．本考案は図１０、図１１に示すように、踏み板及び二つの足の異なる組合せを介し、ユーザーはアエロビックステッパー、或いはバランスボードの二種類の異なる運動方法を選択して使用することができる。よって、それぞれ異なるフィットネス効果に達するだけでなく、異なるフィットネス器材を購入する費用を節約し、且つ保存スペースを有効的に節約することができる。
【００２５】
２．本考案は図１２、図１３に示すように、ユーザーは一つの踏み板に二本の弾性ロープを加える、或いは単独に使用して互いに接続し、且つ反転する第一足及び第二足、或いは単独にダンベルを使用する形態で運動するのを選択することができる。よって、製品の付加機能を有効的に増やすことができ、フィットネス効果を強化することができる。
【００２６】
上記をまとめると、本考案によりユーザーは異なる運動方法を選択して異なるフィットネス効果に達するだけでなく、有効的に支出及び保存スペースを節約できる多機能リズムボードである。
【符号の説明】
【００２７】
１  多機能リズムボード  
２  長方形の踏み板
２１  第一定位部    
２２  第二定位部
２３  第三定位部
２４  第四定位部
２５、２６、２７、２８  定位槽  
３  第一足
３１、４１  頂端    
３２、４２  側面
３３、４３  接続面  
３４、４４  定位柱
３５  第一接続部    
３６  第一スロット
３７  第一ブロック
３８  第一掛合部
３９  第一支持ポイント
４  第二足
４５  第二接続部    
４６  第二スロット
４７  第二ブロック
４８  第二掛合部
４９  第二支持ポイント
５  第一棒
６  第二棒  
５１  第一弾性ロープ
６１  第二弾性ロープ
７  第一定位部品
７１  定位槽    
８  第二定位部品
９  フラットボード  
９１  第一導引部
９２  溝    
９３  第二導引部
９４  長方形板  
９５  弾性抵触部
【図１】
0003206886.tif 000003
【図２】
0003206886.tif 000004
【図３】
0003206886.tif 000005
【図４】
0003206886.tif 000006
【図５】
0003206886.tif 000007
【図６】
0003206886.tif 000008
【図７】
0003206886.tif 000009
【図８】
0003206886.tif 000010
【図９】
0003206886.tif 000011
【図１０】
0003206886.tif 000012
【図１１】
0003206886.tif 000013
【図１２】
0003206886.tif 000014
【図１３】
0003206886.tif 000015